(57)【要約】【課題】  パン／チルト操作やズームイン／ズームアウト操作を行うこと無く得たい映像情報を入手可能とする。【解決手段】  インターホン親機２に、インターホン子１のカメラ５を起動させるモニタボタン２１と、インターホン子機１の呼出操作によるカメラ撮像映像をモニタ１６に出画させる出画範囲と、モニタボタン２１の操作によるカメラ撮像映像のモニタ１６出画範囲とが異なるように制御する親機ＣＰＵ２６とを設け、呼出ボタン４の操作に連動して起動した場合は、最初から或いは特定の期間を経たら自動でズームインした映像が出画され、モニタボタン２１の操作により出画される映像は最初からズームアウトした広範囲な映像とした。【選択図】  図１
2008206085.tif 000002
【特許請求の範囲】
【請求項１】
来訪者を撮像するためのカメラを備え、居住者を呼び出して通話する機能を備えたインターホン子機と、前記カメラで撮像した映像を出画するモニタを備え、呼び出しを受けて前記インターホン子機との間で通話する機能を備えたインターホン親機とを有するインターホン装置であって、
前記カメラは前記インターホン子機の呼出操作に連動して撮像を開始すると共に、前記インターホン親機のカメラ起動手段の操作でも撮像を開始し、
前記呼出操作に連動して起動した場合と前記カメラ起動手段により起動した場合とで前記モニタに出画する出画範囲が異なるよう映像処理する映像処理手段を備えたことを特徴とするインターホン装置。
【請求項２】
呼出操作を受けて前記モニタに出画する映像は、前記カメラ起動手段の操作による出画映像より狭いズームインされた映像に変化させることを特徴とする請求項１記載のインターホン装置。
【請求項３】
前記映像処理手段は、前記カメラが前記インターホン子機の呼出操作に連動して撮像を開始した場合、始めに前記カメラ起動手段の操作による撮像映像と同一の出画範囲で出画させ、所定時間経過後にズームインした映像を出画させることを特徴とする請求項２記載のインターホン装置。
【請求項４】
前記インターホン親機は録画手段を備え、ズームイン前後の出画範囲の異なる２種類の映像を録画することを特徴とする請求項３記載のインターホン装置。
【請求項５】
来訪者を撮像するためのカメラを備え、居住者を呼び出して通話する機能を備えたインターホン子機と、前記カメラで撮像した映像を出画するモニタを備え、呼び出しを受けて前記インターホン子機との間で通話する機能を備えたインターホン親機とを有するインターホン装置であって、
前記インターホン親機には、居住者の接近を感知する人感センサが設けられ、
前記インターホン親機は、前記インターホン子機の呼出操作を受けてカメラの広角撮像映像を前記モニタに出画させ、前記人感センサが居住者を検知後一定時間が経過したら、ズームインした映像に変更制御する映像処理手段を有することを特徴とするインターホン装置。
【請求項６】
来訪者を撮像するためのカメラを備え、居住者を呼び出して通話する機能を備えたインターホン子機と、前記カメラで撮像した映像を出画するモニタを備え、呼び出しを受けて前記インターホン子機との間で通話する機能を備えたインターホン親機とを有するインターホン装置であって、
前記インターホン親機は、前記インターホン子機の呼出操作を受けてカメラの広角撮像映像を前記モニタに出画させ、前記インターホン親機で応答操作が成されたらズームインした映像に変更制御する映像処理手段を有することを特徴とするインターホン装置。
【発明の詳細な説明】
【技術分野】
【０００１】
本発明はインターホン装置に関し、特にインターホン子機にカメラを設けて来訪者をモニタ映像で確認可能としたインターホン装置に関する。
【背景技術】
【０００２】
従来より、来訪者によるインターホン子機からの呼出操作を受けてインターホン子機に設けたカメラを起動し、居室内に設置されたインターホン親機に設けたモニタにより来訪者を確認可能としたインターホン装置がある（例えば、特許文献１参照）。
このように来訪者を確認しながら応答できるインターホン装置では、呼出時にカメラが撮像を開始する以外に、インターホン親機側の操作でカメラを起動でき、モニタに外の様子を出画して確認できるよう構成されており、不審者の監視等が可能となっている。
【特許文献１】特開２００４−３０４５５８号公報
【発明の開示】
【発明が解決しようとする課題】
【０００３】
このようなカメラを備えたインターホン装置は、呼出操作を受けて撮像する映像範囲と、インターホン親機操作によるカメラの撮像する映像範囲が同一であり、比較的広範囲を撮像して出画していた。そのため、来訪者等を確認したい場合は顔等の所望の部分を拡大するズームイン操作することが多く、それに伴ってパン／チルト制御も必要となる場合があった。
この面倒な操作を無くす為に、始めからカメラの撮像範囲を狭めてモニタに出画させる構成にすることが考えられるが、周囲の様子を見たい場合や玄関全体を見たい場合にはモニタに見たい範囲の一部の映像しか出画させることができなくなるため、広角映像にするためのズームアウト処理を行う必要が生じてしまう。このように、いずれにしても出画してから、ズームイン／ズームアウト操作、さらにはパン／チルト操作を行う機会が多く発生していた。  
【０００４】
そこで、本発明はこのような問題点に鑑み、ズームイン／ズームアウト操作やパン／チルト操作を行うこと無く得たい映像情報を入手することが可能なインターホン装置を提供することを目的とする。
【課題を解決するための手段】
【０００５】
上記課題を解決する為に、請求項１に記載の発明は、来訪者を撮像するためのカメラを備え、居住者を呼び出して通話する機能を備えたインターホン子機と、カメラで撮像した映像を出画するモニタを備え、呼び出しを受けてインターホン子機との間で通話する機能を備えたインターホン親機とを有するインターホン装置であって、カメラはインターホン子機の呼出操作に連動して撮像を開始すると共に、インターホン親機のカメラ起動手段の操作でも撮像を開始し、呼出操作に連動して起動した場合とカメラ起動手段により起動した場合とでモニタに出画する出画範囲が異なるよう映像処理する映像処理手段を備えたことを特徴とする。
この構成によれば、呼出時の来訪者を確認するための映像と外の様子を確認したい場合のインターホン親機操作による映像の出画範囲が異なることで、居住者の目的に合わせた映像情報をモニタに出画することが可能となる。よって、出画後にズームイン／ズームアウト等の面倒な操作をする必要がなくなり使い勝手を向上させることができる。
【０００６】
尚、出画範囲とは、カメラの撮像範囲とは異なりモニタに出画される映像範囲を示すもので、カメラレンズによる光学ズームの場合は撮像範囲と出画範囲は同一となるが、撮像映像の一部を拡大する電子式ズームの場合は撮像範囲に対して出画範囲は小さくなる。
【０００７】
請求項２の発明は、請求項１に記載の発明において、呼出操作を受けてモニタに出画する映像は、カメラ起動手段の操作による出画映像より狭いズームインされた映像に変化させることを特徴とする。
この構成によれば、来訪者を確認したい時は最初から来訪者の上半身をアップで出画させることができ、目的に合わせて最初からズームイン或いはズームアウトされた映像を出画できる。よって、後からズームイン／ズームアウト操作する必要がなく使い勝手がよい。
【０００８】
請求項３の発明は、請求項２に記載の発明において、映像処理手段は、カメラがインターホン子機の呼出操作に連動して撮像を開始した場合、始めにカメラ起動手段の操作による撮像映像と同一の出画範囲で出画させ、所定時間経過後にズームインした映像を出画させることを特徴とする。
この構成によれば、呼出操作に連動させた場合でも、最初は広範囲を映し出すので来訪者を確認する前に周囲の様子（全体の様子）を確認できる。よって、不審者がいる場合はそれを認識できるし、その後自動でズームインされるので来訪者の顔の確認も行うことができる。
【０００９】
請求項４の発明は、請求項３に記載の発明において、インターホン親機は録画手段を備え、ズームイン前後の出画範囲の異なる２種類の映像を録画することを特徴とする。
この構成によれば、広範囲の映像とズームインした映像の双方を録画するので、録画された映像からでも、周囲の様子と来訪者の顔をそれぞれ確認することができる。
【００１０】
請求項５の発明は、来訪者を撮像するためのカメラを備え、居住者を呼び出して通話する機能を備えたインターホン子機と、カメラで撮像した映像を出画するモニタを備え、呼び出しを受けてインターホン子機との間で通話する機能を備えたインターホン親機とを有するインターホン装置であって、インターホン親機には、居住者の接近を感知する人感センサが設けられ、インターホン親機は、インターホン子機の呼出操作を受けてカメラの広角撮像映像をモニタに出画させ、人感センサが居住者を検知後一定時間が経過したら、ズームインした映像に変更制御する映像処理手段を有することを特徴とする。
この構成によれば、呼び出しを受けて居住者がモニタにより周囲の状況を確認したのを見計らってズームインして来訪者を確認するための映像に切り替わるので、居住者の応答操作が遅れても、広範囲の映像とズームインした映像の双方を確実に視認することができる。
【００１１】
請求項６の発明は、来訪者を撮像するためのカメラを備え、居住者を呼び出して通話する機能を備えたインターホン子機と、カメラで撮像した映像を出画するモニタを備え、呼び出しを受けてインターホン子機との間で通話する機能を備えたインターホン親機とを有するインターホン装置であって、インターホン親機は、インターホン子機の呼出操作を受けてカメラの広角撮像映像をモニタに出画させ、インターホン親機で応答操作が成されたらズームインした映像に変更制御する映像処理手段を有することを特徴とする。
この構成によれば、応答操作しない限りモニタには広範囲が映し出されるので来訪者を確認する前に周囲の様子（全体の様子）を確実に確認できる。よって、不審者がいる場合や不審なものがある場合はそれを認識できるし、その後応答操作すればズームインされた映像に切り替わるので来訪者の顔を確認し易い。
【発明の効果】
【００１２】
本発明によれば、インターホン親機のモニタに居住者の目的に合わせた映像情報を出画することが可能となるため、出画後にズームイン／ズームアウト等の面倒な操作をする必要がなくなり使い勝手を向上させることができる。
また、自動でズームインした映像を出画させる場合でも最初の所定期間は広範囲を映し出すことで、居住者は来訪者を確認する前に周囲の様子（全体の様子）を確認することができ、不審者がいる場合はそれを認識できる。
【発明を実施するための最良の形態】
【００１３】
以下、本発明を具体化した実施の形態を、図面に基づいて詳細に説明する。図１は本発明に係るインターホン装置の第１実施形態を示す回路ブロック図であり、１は玄関等の住戸外に設置して居住者を呼び出すためのインターホン子機、２は室内に設置してインターホン子機１からの呼び出しに応答するためのインターホン親機を示している。
【００１４】
インターホン子機１は、居住者を呼び出すための呼出ボタン４、来訪者を撮像するためのカメラ５、カメラ５が撮像した映像信号の変調処理等を行う映像処理部６、居住者と通話するためのマイク７及びスピーカ８を備えた音響部９、インターホン親機２と伝送線Ｌを介して通信するための子機インターフェース（子機ＩＦ）１０を備えている。
【００１５】
一方、インターホン親機２は、呼び出しに応答するための通話ボタン１５、カメラの撮像映像を出画するモニタ１６、インターホン子機１から送られてきた映像信号を復調処理等実施する映像処理部１７、来訪者と通話するためのマイク１８及びスピーカ１９を備えた音響部２０、カメラ５を撮像動作させてモニタ１６に出画させるためのモニタボタン２１、タッチパネルから成り各種操作を行うための操作部２２、映像を録画する録画メモリ２３、モニタ出画画面の切り替えのためのタイマ２４、インターホン子機１と通信するための親機インターフェイス（親機ＩＦ）２５、インターホン親機２の各回路を制御する親機ＣＰＵ２６を備えている。尚、通話ボタン１５は、通話中に操作すれば通話路が遮断されて終話するよう構成され、終話ボタン２７も兼ねている。
【００１６】
このように構成されたインターホン装置の動作を次に説明する。但し、インターホン子機１からの呼び出し動作、その呼び出しに対するインターホン親機２での応答動作は従来と同様であるため説明を省略し、発明の要部であるモニタ１６の出画動作の流れを説明する。
図２はインターホン子機１の操作によるモニタ１６出画動作のフローチャートを示し、この図を基に説明する。インターホン子機１の呼出ボタン４が押下される（Ｓ１）と、呼出音がインターホン親機２のスピーカ１９から報音される。同時に、カメラ５が起動して来訪者を撮像する（Ｓ２）。この時、カメラ５は広角で撮像を開始（Ｓ３）し、その映像（広範囲映像）信号がインターホン親機２に伝送される。
【００１７】
インターホン親機２では、映像信号が送られて来たら親機ＣＰＵ２６の制御により、タイマ２４をスタート（Ｓ４）させて所定時間（例えば１５秒）のカウントを開始させる。そして、送られてきた映像信号が映像処理部１７で適宜映像処理され、モニタ１６に第１映像として出画（Ｓ５）される。同時に、出画映像が録画メモリ２３に録画される。
その後、タイマ２４による所定時間の経過を待ち（Ｓ６）、所定時間が経過すると、インターホン子機１から伝送されてきた映像範囲の中の予め設定された特定部位をズームインする（拡大する）ように映像処理が行われ（Ｓ７）、拡大された映像（ズームイン映像）が第２映像としてモニタ１６に出画（Ｓ８）される。また、このズームイン映像が録画メモリ２３に録画される。
【００１８】
尚、例えば１５秒の所定時間は、インターホン親機２の操作部２２の操作により適宜変更可能となっている。また、録画動作は、留守設定をしたときなどに自動で実施されるし、図示しない録画ボタンを操作すれば随時録画される。更に、録画は第１映像と第２映像の２映像として所定時間ずつ録画されるが、録画映像は静止画であってもよく、その場合は１枚づつである必要はない。複数枚ずつ録画すると良い。
【００１９】
一方、インターホン親機２のモニタボタン２１の操作によるモニタ１６の出画動作は以下のようである。図３はモニタボタン２１の操作によるモニタ１６の出画動作のフローチャートを示し、この図を基に説明する。
待受時にモニタボタン２１が操作される（Ｓ１１）と、親機ＣＰＵ２６の制御によりインターホン子機１のカメラ５が撮像を開始（Ｓ１２）し、インターホン子機１が設置された玄関周り等の広範囲映像（Ｓ１３）が取得され、映像信号が上述した経路でインターホン親機２に伝送される。そして、インターホン親機２では、親機ＣＰＵ２６の制御により適宜映像処理されて撮像された広範囲映像がモニタ１６から出画される（Ｓ１４）。以降、モニタボタン２１が再度押下されると待受状態に戻るが詳細は省略する。
【００２０】
このように、呼出時の来訪者を確認するための映像と外の様子を確認したい場合のインターホン親機操作による映像の出画範囲が異なることで、出画目的に合わせて出画設定することが可能となり、玄関周り等を確認したい場合の映像は最初から広範囲映像を出画させることで周囲を確認し易いし、来訪者を確認したい時の映像は自動で来訪者の上半身等をアップで出画させることができる。よって、出画後に目的に合わせてズームイン或いはズームアウト操作する必要が無くなり使い勝手がよく利便性が高い。
また、呼び出しによる出画であっても、最初の一定期間は広範囲映像を出画するので、来訪者を確認する前に周囲の様子を確認できる。よって、不審者がいる場合はそれを認識できるしその後ズームイン操作すること無く来訪者の顔を確実に視認することができる。
更に、広範囲の映像とズームインした映像の双方を録画するので、録画された映像からでも、周囲の様子と来訪者の顔をそれぞれ確認することができる。
【００２１】
次に第２の実施形態を説明する、図４はインターホン親機２の回路ブロック図であり、上記図１とはタイマが第１タイマ２８、第２タイマ２９の２個設けられている点、及び人感センサ３０が設けられている点が異なり、他の構成は同様であるため同一の符号を付与して説明を省略する。また、インターホン子機１に関しても、上記図１と同様であるため省略した。
第１タイマ２８は呼び出しが成されてから応答操作を待つ応答待ちタイマであり、第２タイマは人感センサ３０が検知動作してから所定時間をカウントするモニタ出画切り替えタイマである。
【００２２】
図５はこのインターホン装置のインターホン子機１操作によるモニタ１６の出画動作の流れを示すフローチャートであり、以下この図を基に呼出応答時のモニタ１６の動作について説明する。インターホン子機１の呼出ボタン１１が押下されて呼び出しが成される（Ｓ２１）と、呼出音がインターホン親機２のスピーカ１９から報音される。同時にカメラ５が起動して来訪者の撮像を開始する（Ｓ２２）。この時、カメラ５は広角で撮像を開始する（Ｓ２３）。
【００２３】
こうして撮像された映像信号がインターホン親機２に伝送され、インターホン親機２では、親機ＣＰＵ２６の制御により第１タイマ２８がスタート（Ｓ２４）し、カメラの撮像した映像（広範囲映像）が映像処理部１７で適宜映像処理されてモニタ１６に第１映像として出画（Ｓ２４）される。また、人感センサ３０が能動となり人物の検知（居住者を検知）を開始（Ｓ２６）して、待ち時間の経過を待つ（Ｓ３０）。
その間、応答しようと近づいてきた居住者を人感センサ３０が検出したら、第２タイマ２９が所定時間（例えば１５秒）のカウントをスタート（Ｓ２７）し、カウントが終了したらズームイン処理を行う（Ｓ２８）。こうして第１映像に代えて予め設定された特定部位を拡大したズームイン映像が第２映像として出画される（Ｓ２９）。
【００２４】
一方、人感センサ３０が検知動作せずに、第１タイマ２８がカウントを終了（Ｓ２６）したら（待ち時間が経過したら）、モニタ１６の出画を停止すると共にカメラ５を停止し、待受状態に戻る（Ｓ３１）。
尚、インターホン親機２のモニタボタン２１の操作による出画動作は上記第１実施形態と同様であるため説明を省略する。また、モニタ１６に映像出画中であれば、録画ボタン（図示せず）操作することで映像は適宜録画メモリ２３に録画される。
【００２５】
このように、呼び出しを受けて居住者がモニタにより周囲の状況を確認したのを見計らってズームインして来訪者を確認するための映像に切り替わるので、居住者の応答操作が遅れても、広範囲の映像とズームインした映像の双方を確実に視認することができる。
【００２６】
次に第３の実施形態を説明する。図６はインターホン親機２の回路ブロック図であり、上記図１のタイマとは動作の異なる第３タイマ３２が設けられている。他の構成は同様であるため同一の符号を付与して説明を省略する。また、インターホン子機１に関しても、上記図１と同様であるため省略する。尚、第３タイマ３２は、呼び出しが成されてから応答操作を待つ応答待ちタイマである。
【００２７】
図７はこのインターホン装置において、インターホン子機１の操作によるモニタ１６の出画動作の流れを示すフローチャートであり、以下この図を基にモニタ１６の出画動作を説明する。インターホン子機１の呼出ボタン１１が押下されて呼び出しが成される（Ｓ４１）と、呼出音がインターホン親機２のスピーカ１９から報音される。同時にカメラ５が起動して来訪者の撮像を開始する（Ｓ４２）。この時、カメラ５は広角で撮像を開始する（Ｓ４３）。
【００２８】
こうして撮像された映像信号がインターホン親機２に伝送され、インターホン親機２では、親機ＣＰＵ２６の制御により第３タイマ３２がスタートし（Ｓ４４）、カメラ５の撮像した映像（広範囲映像）が映像処理部１７で適宜映像処理されてモニタ１６に第１映像として出画（Ｓ４５）される。また、第３タイマ３２が所定時間（例えば９０秒）のカウントを開始する。
第３タイマ３２がカウントしている応答待ち時間の間は、通話操作待ち（Ｓ４６）の状態にあり、通話ボタン１５が押されるまでモニタ１６に広範囲映像の出画が継続される。その後、通話ボタン１５が操作されたらインターホン子機１から送信されてきた映像範囲の中の予め設定された特定部位をズームインする（拡大する）映像処理が行われ（Ｓ４７）、拡大された映像（ズームイン映像）が第２映像としてモニタ１６に出画（Ｓ４８）される。その後、終話操作されたら映像は消画され、カメラ５は停止する。
【００２９】
一方、第３タイマ３２のカウントが終了し、応答待ち時間が経過しても通話操作されなければ（Ｓ４９）、第１映像を出画した状態でモニタ１６は消画され、待受状態に戻る（Ｓ５０）。
尚、インターホン親機２のモニタボタン２１操作による出画動作は上記第１の実施形態と同様であるため説明を省略する。
【００３０】
このように、応答操作しない限りモニタには広範囲が映し出されるので来訪者を確認する前に周囲の様子（全体の様子）を確実に確認できる。よって、不審者がいる場合や不審なものがある場合はそれを認識できるし、その後応答操作すればズームインされた映像に切り替わるので来訪者の顔を確認し易い。
【００３１】
尚、上記何れの実施形態も、ズームイン制御（以下の実施形態）はカメラ５の撮像範囲を変えずにズームアウトした状態の撮像範囲の中の任意の部位を電子ズームで拡大する制御として説明したが、カメラレンズを制御して光学式のズーム操作としても良く、この場合はズームイン制御に合わせてパン／チルト制御も実施される。
また、戸建用のインターホン装置として説明したが、集合住宅インターホンシステムの場合においても同様の動作を実施でき、インターホン子機は集合玄関等のエントランスに設置される集合玄関機が対応し、インターホン親機は各居室に設置される居室親機が対応する。
更に、何れの実施形態においてもインターホン子機１からの呼び出しの場合、最初の一定期間は広範囲映像を出画し、その後ズームイン映像を出画する制御を実施しているが、広範囲映像を出画せず、呼出時は最初からズームイン映像を出画しても良い。
また、カメラの撮像によるモニタ出画映像を動画を前提に説明したが、静止画で出画させても良く、この場合は通信容量や録画メモリ容量を削減でき、装置を安価に構成できる。
【図面の簡単な説明】
【００３２】
【図１】本発明の第１実施形態を示す回路ブロック図である。
【図２】図１のインターホン子機操作によるモニタ出画動作を示すフローチャートである。
【図３】図１のインターホン親機操作によるモニタ出画動作を示すフローチャートである。
【図４】本発明の第２実施形態を示すインターホン親機の回路ブロック図である。
【図５】第２実施形態のインターホン子機操作によるモニタ出画動作を示すフローチャートである。
【図６】本発明の第３の実施形態を示すインターホン親機の回路ブロック図である。
【図７】第３実施形態のインターホン子機操作によるモニタ出画動作を示すフローチャートである。
【符号の説明】
【００３３】
１・・インターホン子機、２・・インターホン親機、５・・カメラ、１１・・呼出ボタン、１５・・通話ボタン、１６・・モニタ、２１・・モニタボタン（カメラ起動手段）２３・・録画メモリ（録画手段）、２４・・タイマ、２６・・親機ＣＰＵ（映像処理手段）、２８・・第１タイマ、２９・・第２タイマ、３０・・人感センサ、３２・・第３タイマ。
【図１】
2008206085.tif 000003
【図２】
2008206085.tif 000004
【図３】
2008206085.tif 000005
【図４】
2008206085.tif 000006
【図５】
2008206085.tif 000007
【図６】
2008206085.tif 000008
【図７】
2008206085.tif 000009